(57)【要約】本発明は、本体部を含む髄内ピンに関する。異なる方向に向かってそれぞれ広がる叉が前記本体部の一方の端部に提供される。軸方向に沿って延びる溝が前記叉の外側に配置される。前記溝に挿入される締め付け環が前記溝の自由端に取り付けられる。
2006500965.tif 000002
【特許請求の範囲】
【請求項１】
叉が本体部の一方の端部に配置され、かつ開放端を伴って異なる方向に広げられ、溝が前記叉の外側に配置され、かつその軸方向に沿って延び、そして、締め付け環が前記溝に埋め込まれることを特徴とする本体部を含む髄内ピン。
【請求項２】
前記本体部の前記叉が球状頭部の骨保持鉗子により締め付けられ、かつ球状頭部の骨保持鉗子と並んで整列させられ、そして、前記球状頭部の骨保持鉗子が前記溝の中に埋め込まれ、かつ前記叉上に締め付けられる、請求項１に記載の髄内ピン。
【請求項３】
前記溝が、前記開放叉の一方の端部から反対側の端部まで先細りの深さを有する、請求項１または２に記載の髄内ピン。
【発明の詳細な説明】
【技術分野】
【０００１】
本発明は髄内ピンに関し、より詳細には、骨折した骨の中に直接入れることができ、かつ骨折部としっかりつなぐことができる髄内ピンに関する。
【背景技術】
【０００２】
図１は、骨折した骨１をつなぐための従来の方法について示される。この方法は、髄内ピン２を髄内腔の中に入れること以外何物でもない。髄内ピン２は従来まっすぐであるので、従って、髄内ピン２が髄内腔の中に入ったとき、最初に髄内ピン２が髄内腔から脱落することを防止するために、補助ピン３を髄内腔の表面にその軸方向に沿って取り付けなければならない。一方、Ｘ線装置による検査が、補助ピン３を髄内ピン２に対して正確に押しつけるために手術操作を行う前に必要であり、また、骨折した骨を正確につなぐためには、固定エレメントが、骨折部をつなぐために要求される。そのような配置は、手術操作の時間を増大させるだけでなく、新しく成長した血管および仮骨形成が、骨を効果的に覆うことをできなくする、または骨折した骨をつなぐことをできなくする。そのような方法はその適用において著しい欠陥を有しており、患者の苦痛を増大させる。前記の欠点は、長い間、医療従事者および患者を困らせている。
【発明の開示】
【発明が解決しようとする課題】
【０００３】
前記の欠点を克服するために、スプリット端を有する髄内ピンが発明されている。この髄内ピンはその叉を髄内腔の中に押し入れることができ、その結果、髄内ピンが髄内腔の中に入ったとき、髄内ピンが髄内腔の中に直接に固定され得るが、それにもかかわらず、髄内ピンの前方端における叉の角度が小さすぎるため、髄内腔を押しつける効果を達成することができない。叉の角度が大きすぎる場合、髄内ピンが移動するとき、髄内ピンを髄内腔の別の端部の中に入れることが容易でない。従って、髄内ピンを締め付けるために手術的鉗子を使用することが必要であり、しかし、髄内ピンの表面は非常に滑らかである。髄内ピンを鉗子によって締め付けることは困難であり、従って、手術を困難にし、かつ不便にする。
【課題を解決するための手段】
【０００４】
（発明の要約）
従って、本発明の主目的は、前記の問題に対する技術的解決策、ならびに、骨折した骨の中に直接に入れることができ、かつ骨折部としっかりつなぐことができる髄内ピンを提供することである。
【０００５】
本発明によって採用された技術的措置は、叉が本体部の一方の端部に配置され、かつ開放端を伴って異なる方向に広げられ、溝が前記叉の外側に配置され、かつその軸方向に沿って延び、そして、締め付け環が前記溝に埋め込まれることを特徴とする本体部を含む髄内ピンを提供することである。前記解決策の実行に関して、本発明により、下記の有益な効果が達成されることは明らかである。本発明の構造は実施可能な構造であり、その概念はすばらしい。髄内ピンが適用されたとき、本体部が、骨折した髄内腔の中に一方の端部から進入し、髄内腔の反対側の端部に向かって前方に移動する。本体部上の叉が骨折位置から露出したとき、球状頭部の骨保持鉗子が溝の中に埋め込まれ、その結果、叉が前方に移動したとき、球状頭部の骨保持鉗子が溝に沿って移動して、叉を髄内腔の別の端部に押しつけるようにし、そして、叉は、球状頭部の骨保持鉗子により締め付けられるので閉じたままであるようにする。従って、叉は髄内腔の別の端部の中に首尾よく進入することができる。叉が髄内腔の別の端部に達したとき、叉はゆっくり開けられ、その結果、叉は、脱落することなく固定され、従って、叉により、骨折した髄内腔をつなぐという目的がさらに達成される。さらに、溝に埋め込まれた締め付け環が叉の自由端に配置されており、従って、叉が一方の端部から骨折した髄内腔の中に入ったとき、叉は、締め付け環の制限によって次に互いに整列させられ、そして、本体部は、髄内腔のその端部から髄内腔の反対側の端部まで前方に首尾よく移動することができる。さらに、溝は開放叉の一方の端部から反対側の端部まで先細りの深さを有しており、その結果、球状頭部の骨保持鉗子が溝に埋め込まれたとき、球状頭部の骨保持鉗子は、先細くなった溝の深さの変化によって溝から自然に分離させることができる。本発明は、その促進について価値がある。
【発明を実施するための最良の形態】
【０００６】
本発明の目的、その構造、発明的特徴および実施を審査官が理解することをより容易にするために、本発明者らは、本発明の詳細な説明のために、好ましい実施形態を、添付された図面と一緒に使用する。
【０００７】
図２は、本発明による髄内ピンについて示される。本発明の髄内ピンは、骨折した髄内腔を固定し、つなぐためのデバイスである。そのようなデバイスは、この実施形態において使用される桿状体である本体部１０と、本体部１０の一方の端部に配置され、かつ開放端を伴って種々の方向に広げられる叉１１と、叉１１の外側に配置され、かつその軸方向に沿って延びる溝１２（ただし、この溝１２は叉１１の開放端から別の端部まで先細くなっている）と、叉１１の自由端に結合する締め付け環２０（ただし、締め付け環２０は、この実施形態において適合したＣ字形状の環であり、叉１２が締め付け環２０の制限のもとで互いに整列するように溝１２に埋め込まれる）とを含む。髄内ピンが適用されたとき、本体部２０は、図３に示されるように、髄内腔２０の一方の端部から髄内腔２０の中に進入し、髄内腔２０の反対側の端部に向かって前方に、本体部１０上の叉１２が骨折部分で露出するまで移動する。叉１２がそのような位置において露出したとき、図４に示されるように、締め付け環２０が叉１１から除かれる。一方、図５に示されるように、球形状の締め付け用頭部３１を有する球状頭部の骨保持鉗子３０が溝１２の中に埋め込まれ、その結果、球状頭部の骨保持鉗子３０の球形状の締め付け用頭部３１が溝１２に沿って移動し、脱落しなくなる。叉１１が髄内腔４０の別の端部に押しつけられたとき、叉１１は、図６に示されるように、球状頭部の骨保持鉗子３０の締め付け用頭部３１によって締め付けられるので閉じたままである。従って、叉１１が髄内腔４０の別の端部の中に首尾よく進入し、そして、球状頭部の骨保持鉗子３０の球形状の締め付け用頭部３１が溝１２に埋め込まれたとき、叉１１が、先細くなった溝１２によって溝１２から自然にはずれる。叉１１は、髄内腔４０の別の端部の中に進入したとき、所定の角度にゆっくり広げられ、その結果、叉１２が、本体部１０上の開いた叉１２の支援によって固定され、髄内腔４０のそのような端部から脱落しなくなる。このように、本発明は、図７および図８に示されるように、骨折した髄内腔４０をつなぐことができる。
【０００８】
上記の説明をまとめると、本発明は、先行技術の欠点を克服し、従来の構造体よりも性能を高めており、さらに、相応する特許権の検討および付与のために、特許出願の要件を満たし、特許商標局に提出されている。
【０００９】
本発明は、例として、また、１つの好ましい実施形態に関して記載されているが、本発明はそのような実施形態に限定されないことを理解しなければならない。それと反対に、本発明は、様々な改変ならびに類似する配置および手順を包含することが意図され、従って、添付された請求項の範囲は、すべてのそのような改変および類似する配置を包含するように最も広い解釈と一致させなければならない。
【図面の簡単な説明】
【００１０】
【図１】先行技術の髄内ピンの例示である。
【図２】本発明による髄内ピンの例示である。
【図３】髄内ピンが本発明に従って髄内腔に進入することを例示する図である。
【図４】髄内ピンが本発明に従って髄内腔から突き出て、露出することを例示する図である。
【図５】球状頭部の骨保持鉗子が本発明による髄内ピンを締め付けることを例示する図である。
【図６】球状頭部の骨保持鉗子が本発明に従って実行されたとき、球状頭部の骨保持鉗子が髄内ピンを締め付けることを例示する図である。
【図７】髄内ピンが本発明に従って別の髄内腔に進入することを例示する図である。
【図８】髄内ピンが、本発明に従って、骨折した髄内腔をつなぐことを例示する図である。
【符号の説明】
【００１１】
１  骨折した骨
２  髄内ピン
３  補助ピン
１０  本体部
１１  叉
１２  溝
２０  髄内腔
３０  骨保持鉗子
３１  締め付け用頭部
４０  髄内腔
【図１】
2006500965.tif 000003
【図２】
2006500965.tif 000004
【図３】
2006500965.tif 000005
【図４】
2006500965.tif 000006
【図５】
2006500965.tif 000007
【図６】
2006500965.tif 000008
【図７】
2006500965.tif 000009
【図８】
2006500965.tif 000010
【手続補正書】
【提出日】平成15年11月14日(2003.11.14)
【手続補正１】
【補正対象書類名】特許請求の範囲
【補正対象項目名】全文
【補正方法】変更
【補正の内容】
【特許請求の範囲】
【請求項１】
叉が本体部の一方の端部に配置され、かつ開放端を伴って異なる方向に広げられ、溝が前記叉の外側に配置され、かつその軸方向に沿って延び、そして、締め付け環が前記溝に埋め込まれることを特徴とする本体部を含む髄内ピン。
【請求項２】
前記球状頭部の骨保持鉗子が前記溝の中に埋め込まれ得る、請求項１に記載の髄内ピン。
【請求項３】
前記溝が、前記開放叉の一方の端部から反対側の端部まで先細りの深さを有する、請求項１または２に記載の髄内ピン。
【国際調査報告】
2006500965.tif 000011
2006500965.tif 000012
2006500965.tif 000013
2006500965.tif 000014